(57)【要約】【課題】マスクの適切な装着を容易とするイヤーハンガーおよびこのイヤーハンガーを備えるマスクを提供する。【解決手段】マスク１は、マスク本体１０と、イヤーハンガー２０と、を備える。イヤーハンガー２０は、マスク本体１０の両側部を下端で支持するリブ部２１、リブ部２１の下端部に連続し、上方に屈曲し、屈曲角度を調整可能な屈曲部２２、および屈曲部２２に連続する耳掛けフック部２３を有する。【選択図】図９
0003231942.tif 000002
【実用新案登録請求の範囲】
【請求項１】
マスク本体と、
前記マスク本体の両側部を下端部で支持するリブ部、前記リブ部の下端部に連続し、上方に屈曲し、屈曲角度を調整可能な屈曲部、および前記屈曲部に連続する耳掛けフック部を有するイヤーハンガーと、
を備えるマスク。
【請求項２】
前記マスク本体は、両側部にリブ通し穴を有し、
前記リブ部は、前記リブ通し穴にその下部開口部から差し込まれている、
請求項１に記載のマスク。
【請求項３】
前記リブ部が、前記リブ通し穴の上部開口部の縁部に係止する引っ掛けフックを有する、請求項２に記載のマスク。
【請求項４】
前記リブ通し穴が、マスク本体の両側部に設けられた取付部に形成されている、請求項請求項２または３に記載のマスク。
【請求項５】
前記イヤーハンガーが、可塑性を有する金属ワイヤーから構成されている、請求項１から４のいずれか１項に記載のマスク。
【請求項６】
前記イヤーハンガーが、可撓性を有する樹脂ワイヤーから構成されている、請求項１から４のいずれか１項に記載のマスク。
【請求項７】
マスク本体の左右の両側端部を下端部で支持するリブ部と、
一端が前記リブ部の下端部に連続し、上方に屈曲し、屈曲角度を調整可能な屈曲部と、
前記屈曲部の他端に連続する耳掛けフック部と、
を備えるイヤーハンガー。
【請求項８】
前記リブ部が、引っ掛けフックを有する、請求項７に記載のイヤーハンガー。
【請求項９】
前記イヤーハンガーが、可塑性を有する金属ワイヤーから構成される、請求項７または８に記載のイヤーハンガー。
【請求項１０】
前記イヤーハンガーが、可撓性を有する樹脂ワイヤーから構成される、請求項７または８に記載のイヤーハンガー。
【考案の詳細な説明】
【技術分野】
【０００１】
本考案は、マスクおよびイヤーハンガーに関する。
【背景技術】
【０００２】
鼻孔および口を覆う布部分を交換可能なマスクが知られている。例えば、特許文献１には、マスク本体と、マスク本体に取り付けるイヤーハンガーと、を備えた薬効マスクが開示されている。
【先行技術文献】
【特許文献】
【０００３】
【特許文献１】特開２００４−０８９６５５号公報
【考案の概要】
【考案が解決しようとする課題】
【０００４】
特許文献１に開示されたマスクのイヤーハンガーは、緩やかに湾曲したワイヤーから構成されている。このイヤーハンガーは、使用者の耳に掛けるツルと、下方に延び、マスクを支持するリブとが、略Ｌ字状に形成されている。このような形状では、使用者の装着動作によりイヤーハンガーが変形しやすく、適切な装着が困難となる場合がある。例えば、マスク本体と顔面との隙間を塞ぐため、リブを変形すると、ツルも変形してしまい、装着感に影響を与えてしまう。また、ツルの形状を調整すると、リブの位置に直接影響してしまい、装着感が変化してしまう。
また、リブがマスクの両側に形成された穴に上から挿入された構成であるため、マスクがリブから外れ、落下しやすいという問題もある。
【０００５】
本考案は、上述の課題を解決するためになされたもので、マスクの適切な装着を容易とするイヤーハンガーおよびこのイヤーハンガーを備えるマスクを提供することを目的とする。
【課題を解決するための手段】
【０００６】
本考案に係るマスクは、上記の事情に鑑みてなされたものであり、マスク本体と、マスク本体の両側部を下端部で支持するリブ部、リブ部の下端部に連続し、上方に屈曲し、屈曲角度を調整可能な屈曲部、および屈曲部に連続する耳掛けフック部を有するイヤーハンガーと、を備える。
【考案の効果】
【０００７】
本考案に係るマスクは、屈曲部の屈曲角を変更させることでマスク本体と耳掛けフック部の間隔を調整することができる。このため、このマスクは、屈曲部の屈曲角を変更させることで、マスク本体と顔面との間の隙間を調整し、マスクの適切な装着を容易とすることができる。
【図面の簡単な説明】
【０００８】
【図１】実施の形態１に係るマスクを着用した図
【図２】実施の形態１に係るマスクの正面図
【図３】実施の形態１に係るマスクの背面図
【図４】実施の形態１に係るマスクの右側面図
【図５】実施の形態１に係るマスクの左側面図
【図６】実施の形態１に係るマスクの平面図
【図７】実施の形態１に係るマスクの底面図
【図８】実施の形態１に係るマスク本体の正面図
【図９】実施の形態１に係るマスクの分解図
【図１０】図２のマスク本体の左側に取り付けられるイヤーハンガーの正面図
【図１１】図１０のイヤーハンガーの背面図
【図１２】図１０のイヤーハンガーの右側面図
【図１３】図１０のイヤーハンガーの左側面図
【図１４】図１０のイヤーハンガーの平面図
【図１５】図１０のイヤーハンガーの底面図
【図１６】実施の形態１に係るマスクの使用態様を示す側面図
【図１７】実施の形態１に係るマスクの顔からずらした使用態様を示す側面図
【図１８】実施の形態２に係るイヤーハンガーの正面図
【図１９】実施の形態２に係るマスクの分解図
【考案を実施するための形態】
【０００９】
以下、本考案の実施の形態に係るマスクおよびイヤーハンガーを図に基づいて詳細に説明する。
【００１０】
実施の形態１．
実施の形態１に係るマスク１は、使用者の鼻孔および口元を覆い、使用者の体内への花粉、病原菌、ウイルス、粉塵等（以下、花粉等）の侵入を低減する。図１から図７に示すように、マスク１は、使用者の鼻孔および口元を覆うマスク本体１０と、使用者の耳に掛けられる一対のイヤーハンガー２０と、を備える。
【００１１】
マスク本体１０は、布からなる。マスク本体１０の形状は、使用者の鼻筋に沿うように、中央部が張り出した略六角形の立体型マスク形状である。図１に示すように、マスク本体１０は、使用者の鼻孔および口元を含む使用者の顔の鼻孔から下の範囲の少なくとも一部を覆う。図１では、使用者の顔の輪郭を破線で示している。
【００１２】
マスク本体１０の上辺１１の中央部は、斜め上方に張り出している。この上辺１１は、使用者の鼻梁に当接し、使用者の鼻孔および口元への上辺１１側からの花粉等の侵入を低減する。
【００１３】
そして、マスク本体１０の下辺１２の中央部は、斜め下方に張り出している。この下辺１２は、使用者の顎の近傍に当接し、使用者の鼻孔および口元への下辺１２側からの花粉等の侵入を低減する。
【００１４】
マスク本体１０の両側辺１３は、使用者の鼻孔および口元の側方に位置する。両側辺１３は、使用者の顔面に当接し、使用者の鼻孔および口元への両側辺１３側からの花粉等の侵入を低減する。
【００１５】
マスク本体１０の中央部は、稜部が上辺１１の中央部と下辺１２の中央部を結ぶように、前方に突出している。使用者の鼻は、マスク本体１０の稜部の内側に位置し、マスク本体１０による使用者の鼻への圧迫が低減する。さらに、使用者の鼻孔および口が、マスク本体１０の稜部の内側に位置し、閉塞されないため、使用者は呼吸しやすい。
【００１６】
さらに、マスク本体１０は、図８に示すように、両側辺１３に沿って、一対の取付部１４を有する。
【００１７】
一対の取付部１４は、一対のイヤーハンガー２０をそれぞれ取り付けるための筒状の部分である。取付部１４は、マスク本体１０の上辺１１からマスク本体１０の下辺１２にかけて形成されている。取付部１４は、マスク本体１０の布地の左右の裾を裏側に折り返し、折り目と側端との間がほぼ一定幅となるように布地を縫い合わせることで形成されている。取付部１４には、リブ通し穴１５が形成されている。
【００１８】
リブ通し穴１５は、上端に上部開口部１６を有し、下端に下部開口部１７を有する。
【００１９】
図２に示す一対のイヤーハンガー２０は、略同一形状を有する一対の可塑性の金属ワイヤーから構成される。一対のイヤーハンガー２０の径は、マスク本体１０のリブ通し穴１５の径より小さい。各イヤーハンガー２０には、滑り止めとクッション性の観点から、布等の柔軟な素材による図示せぬカバーが掛けられている。
【００２０】
図９から図１５に示すように、イヤーハンガー２０は、取付部１４に取り付けられるリブ部２１と、リブ部２１の下端部に連続し、上に開く放物線状に屈曲した屈曲部２２と、屈曲部２２に連続し、使用者の耳に掛けられる耳掛けフック部２３と、を有する。例えば、図１２に示すように、リブ部２１、屈曲部２２、および耳掛けフック部２３は、同一平面上に位置する。
【００２１】
イヤーハンガー２０は、屈曲部２２と耳掛けフック部２３の２箇所で屈曲し、全体として、略数字の２の形状を有する。
【００２２】
図９に示すように、リブ部２１は、マスク本体１０の両側辺１３を支持する部位である。リブ部２１は、縦方向に伸張し、その長さは、リブ通し穴１５の下部開口部１７から上部開口部１６までの寸法よりも長い。
【００２３】
イヤーハンガー２０が可塑性のため、リブ部２１の形状は、使用者の顔面の凹凸に合わせて調整可能である。
【００２４】
図９の２点鎖線の矢印で示すように、リブ部２１の上端部２１ａは、下部開口部１７からリブ通し穴１５に差し込まれ、リブ通し穴１５の上部開口部１６に達する。
【００２５】
図１０、１１に示すように、屈曲部２２は、リブ部２１の下端部でリブ部２１に連続し、上に開く放物線状に大きく上方に屈曲した形状を有する部位である。イヤーハンガー２０はが可塑性のため、イヤーハンガー２０の屈曲部２２の屈曲角θを、使用者の手で変更可能である。
【００２６】
屈曲角θは、５°〜６０°程度が望ましい。屈曲角θが小さ過ぎると、屈曲部２２が何度も変形するうちに破断するおそれがある。また、屈曲角θが大きすぎると、耳掛けフック部２３を適切な位置に維持できなくなる。
【００２７】
耳掛けフック部２３は、屈曲部２２を介してリブ部２１に連続し、使用者の耳に掛けられる部位である。耳掛けフック部２３は、屈曲部２２に連続し、斜め上方へと伸張するテンプル部２３ａと、テンプル部２３ａに連続し、放物線状に湾曲する当接部２３ｂと、を有する。
【００２８】
テンプル部２３ａは、屈曲部２２と当接部２３ｂとを繋げる部位であり、屈曲部２２に連続して斜め上方に伸張する。
【００２９】
当接部２３ｂは、テンプル部２３ａに連続して放物線状に伸張し、使用者の耳の上端部に当接する。当接部２３ｂが使用者の耳に掛けられることで、耳掛けフック部２３は、使用者の耳に係止される。イヤーハンガー２０は可塑性の金属ワイヤーから構成されるため、使用者は、当接部２３ｂの形状を、自身の耳に適すように適宜変形させることができる。
【００３０】
上記構成を有するイヤーハンガー２０では、当接部２３ｂとリブ部２１との距離は、屈曲部２２の屈曲角θによって変化し、屈曲角θが小さければ短く、屈曲角θが大きければ大きくなる。イヤーハンガー２０は可塑性を有するため、使用者は、屈曲部２２に指で力を加えて屈曲角θを調整することで、当接部２３ｂの位置を調整することができる。屈曲角θを調整しただけでは、耳掛けフック部２３の形状にはほとんど影響を与えない。このため、屈曲角θを調整した後で、耳掛けフック部２３の形状を調整する必要はほとんど無い。また、耳掛けフック部２３の形状を調整しても、屈曲角θは変化せず、屈曲部２２の形状を再調整する必要も生じない。
【００３１】
次に、マスク１の使用態様について説明する。
使用者は、図９の２点鎖線の矢印で示すように、イヤーハンガー２０の上端部２１ａを、リブ通し穴１５に、下部開口部１７から上部開口部１６に達するまで差し込む。
【００３２】
そして、図１６に示すように、マスク１を使用者の顔面に着用する。使用者はマスク本体１０を使用者の口および鼻を覆うように配置し、イヤーハンガー２０の耳掛けフック部２３を耳に掛ける。
【００３３】
続いて、使用者は、マスク本体１０が顔にフィットするように、屈曲部２２に指先で力を加えることにより、屈曲角θを調整する。
【００３４】
例えば、使用者は、マスク本体１０を顔に密着させるには、図１６の矢印Ａで示すように、屈曲部２２に挟む向きに指先で力を加え、屈曲角θを小さくする。これにより、リブ部２１と当接部２３ｂの間隔が狭くなり、マスク本体１０が顔に密着する。
【００３５】
また、使用者は、マスク本体１０と顔の間に余裕を持たせるには、図１７の矢印Ｂで示すように、屈曲部２２を広げるように力を加え、屈曲角θを大きくする。これにより、リブ部２１と当接部２３ｂの間隔が開き、マスク本体１０が顔の間に余裕ができる。また、マスク本体１０の傾斜角を調整するには、リブ部２１の傾斜角を調整すればよい。
【００３６】
このように、使用者は、屈曲部２２の屈曲角θを調整することで、耳掛けフック部２３に力を加えることなく、マスク本体１０の密着度を調整することができる。また、リブ部２１の傾斜を調整することにより、マスク本体１０の傾斜角を調整できる。
【００３７】
また、マスク１は、マスク本体１０とイヤーハンガー２０を分離することができる。そのため、使用者の嗜好に合わせて、マスク本体１０を色、形状、またはデザインの異なるマスク本体に変更することができる。
【００３８】
実施の形態２．
上記実施の形態１では、イヤーハンガー２０の端部には何も設けられていなかった。これに限られず、図１８および図１９に示すように、イヤーハンガー３０の端部に第１の引っ掛けフック３４および第２の引っ掛けフック３５を設けてもよい。
【００３９】
図１８に示すように、実施の形態２に掛かるマスク２のイヤーハンガー３０は、取付部１４に取り付けられるリブ部３１と、リブ部３１の下端部に連続し、上に開く放物線状に上方に屈曲した屈曲部３２と、屈曲部３２と連続し、使用者の耳に掛けられる耳掛けフック部３３と、リブ部３１の上端部に設けられる第１の引っ掛けフック３４と、耳掛けフック部３３の端部に設けられる第２の引っ掛けフック３５と、を有する。
【００４０】
リブ部３１は、図１９に示すように、リブ通し穴１５を貫通し、その上端部には、第１の引っ掛けフック３４が形成されている。
【００４１】
屈曲部３２は、リブ部３１の下端部でリブ部３１に連続し、上に開く放物線状に屈曲し、屈曲角θで上方に屈曲した部位である。
【００４２】
耳掛けフック部３３は、屈曲部３２に連続し、斜め上方へと伸張するテンプル部３３ａと、テンプル部３３ａと連続し、放物線状に湾曲する当接部３３ｂと、を有する。耳掛けフック部３３の端部には、第２の引っ掛けフック３５が形成されている。
【００４３】
図１９に２点鎖線の矢印で示すように、リブ部３１は、リブ通し穴１５の下部開口部１７に差し込まれ、上部開口部１６から露出する。第１の引っ掛けフック３４が、マスク本体１０の上辺１１を係止する。
【００４４】
マスク２もマスク１と同様に、屈曲部３２に力を加えることで、リブ部３１と耳掛けフック部３３の間の距離を調整することができる。また、リブ部３１の傾斜を調整することができる。
【００４５】
また、マスク本体１０の上辺１１がリブ部３１の第１の引っ掛けフック３４により係止されているため、イヤーハンガー３０がずれ難く、外れ難い。また、イヤーハンガー３０の布カバーは、リブ部３１の第１の引っ掛けフック３４と耳掛けフック部３３の第２の引っ掛けフック３５により両端が挟まれるため、イヤーハンガー３０から外れ難い。
【００４６】
上記実施の形態１、２では、イヤーハンガー２０，３０は可塑性の金属ワイヤーから構成される。これに限られず、使用者の顔面の凹凸に合った形状を確保及び維持できれば、イヤーハンガー２０，３０は可撓性の樹脂ワイヤーであってもよい。なお、ワイヤーは、断面が円形のものに限定されず、断面が楕円形、多角形等でもよい。また、部位毎に断面形状や径が異なっていてもよい。
【００４７】
上記実施の形態１、２では、マスク本体１０を布から形成する例を示したが、その材質は任意である。例えば、マスク本体１０は、織布、不織布、又は樹脂製のフィルター、これらの積層体等から形成されてもよい。また、イヤーハンガー２０，３０全体が均一な可撓性を有する必要はなく、例えば、屈曲部２２，３２は可撓性が大きく、剛性が小さく、リブ部２１，３１と耳掛けフック部２３，３３は、屈曲部２２，３２よりも可撓性が低く剛性が高い構成としてもよい。例えば、屈曲部２２，３２を軟性の金属又は樹脂から構成し、リブ部２１，３１及び耳掛けフック部２３，３３を剛性の金属又は樹脂から構成する等してもよい。
【００４８】
上記実施の形態１、２では、マスク本体１０は、立体型マスク形状である。これに限られず、使用者の鼻孔および口元を覆うことができるならば、マスク本体１０は、平形マスク形状、またはプリーツ型マスク形状であってもよい。
【００４９】
上記実施の形態１、２では、イヤーハンガー２０，３０のリブ部２１，３１、屈曲部２２，３２および耳掛けフック部２３，３３は、一本のワイヤーで一体に構成したが、これに限られず、リブ部２１，３１と屈曲部２２，３２と耳掛けフック部２３，３３を別個の部材を組みあわせて構成してもよい。
【００５０】
上記実施の形態１、２では、取付部１４がマスク本体１０の生地となる織布の左右の裾を裏面側に折り返して端部を縫うことで形成されている。これに限られず、リブ部２１を取り付けられるならば、取付部１４の構成は任意である。
【００５１】
上記実施の形態１では、イヤーハンガー２０に、カバーが掛けられている。これに限られず、イヤーハンガー２０は、露出していてもよい。また、イヤーハンガー２０の一部のみに、カバーが掛けられていてもよい。また、カバーがイヤーハンガーの一部又は全体に固着していてもよい。
【００５２】
上記実施の形態１、２では、イヤーハンガー２０，３０の耳掛けフック部２３，３３は、放物線状に湾曲する形状により使用者の耳に掛けられる。これに限られず、耳掛けフック部の形状は任意であり、例えば、耳掛けフック部が、端部がエッジを有するように屈曲した形状でもよい。
【００５３】
上記実施の形態１，２では、イヤーハンガー２０，３０は、リブ部２１，３１をマスク本体１０の取付部１４のリブ通し穴１５に差し込むことで、マスク本体１０に取り付けられている。これに限られず、イヤーハンガー２０，３０は、クリップを備え、このクリップによりマスク本体１０の左右の端部を挟持してもよい。マスク本体１０に取り付けられるならば、リブ部２１の構成は任意である。
【００５４】
上記実施の形態１、２では、イヤーハンガー２０，３０のリブ部２１，３１、屈曲部２２，３２、および耳掛けフック部２３，３３は、同一平面上に位置する。これに限られず、リブ部２１，３１、屈曲部２２，３２、および耳掛けフック部２３，３３は、使用者の顔面に沿うように、立体的な形状であってもよい。
【００５５】
以上、本開示に係る実施の形態について説明したが、本実施の形態は、例として提示したものであり、考案の範囲を限定することは意図していない。この新規な実施形態は、その他の様々な形態で実施されることが可能であり、考案の要旨を逸脱しない範囲で、種々の省略、置き換え、変更を行うことができる。本実施形態およびその変形は、考案の範囲や要旨に含まれるとともに、実用新案登録請求の範囲に記載された考案とその均等の範囲に含まれる。
【符号の説明】
【００５６】
１  マスク、２  マスク、１０  マスク本体、１１  上辺、１２  下辺、１３  両側辺、１４  取付部、１５  リブ通し穴、１６  上部開口部、１７  下部開口部、２０，３０  イヤーハンガー、２１，３１  リブ部、２１ａ  上端部、２２，３２  屈曲部、２３，３３  耳掛けフック部、２３ａ，３３ａ  テンプル部、２３ｂ，３３ｂ  当接部、３４  第１の引っ掛けフック、３５  第２の引っ掛けフック、Ａ，Ｂ  矢印
【図１】
0003231942.tif 000003
【図２】
0003231942.tif 000004
【図３】
0003231942.tif 000005
【図４】
0003231942.tif 000006
【図５】
0003231942.tif 000007
【図６】
0003231942.tif 000008
【図７】
0003231942.tif 000009
【図８】
0003231942.tif 000010
【図９】
0003231942.tif 000011
【図１０】
0003231942.tif 000012
【図１１】
0003231942.tif 000013
【図１２】
0003231942.tif 000014
【図１３】
0003231942.tif 000015
【図１４】
0003231942.tif 000016
【図１５】
0003231942.tif 000017
【図１６】
0003231942.tif 000018
【図１７】
0003231942.tif 000019
【図１８】
0003231942.tif 000020
【図１９】
0003231942.tif 000021